(57)【要約】本発明は、ヘルメットシェルの外側に配備される少なくとも１個の光源と、頭上のヘルメットの装着を検出するセンサと、電気光源とセンサに電気的に接続された電気制御装置を備えたヘルメットに関し、当該電気制御装置は、センサが頭部上のヘルメットの装着が検出された場合、電気光源のスイッチを入れるか、または、単に電気光源のスイッチをオン状態に切替を可能にするよう構成されている。【選択図】図１
2012516949.tif 000002
【特許請求の範囲】
【請求項１】
ヘルメットシェルの外側に配置される少なくとも１個の電気光源（５．１、５．２）を有する照明装置（３）と、
頭部上の前記ヘルメット（１）の装着を検出するセンサ（９．１、９．２；１１；１８）と、
前記電気光源（５．１、９．２；１１；１５；１８）と前記センサ（９．１、９．２；１１；１５；１８）を電気的に接続させる電気制御装置および電源を備えたヘルメットであって、
前記電気制御装置は、前記センサが頭部（５．１、５．２）上のヘルメット（１）の装着が検出されるとき、電気光源のスイッチを入れるか、または、電気光源のスイッチを入れるのを単に許可するよう構成されている。
【請求項２】
請求項１に記載のヘルメットにおいて、
前記センサは、ファスナ（８）の２つの結合可能な閉止素子（８．１、８．２）の中に電気接触子（９．１、９．２）を備え、
電線路（１０．１、１０．２）が、顎紐（７）に沿って伸びる電気接点と電気制御装置に接続されている。
【請求項３】
請求項１または２に記載のヘルメットにおいて、
前記センサは、光源（１１．１）および受光器（１１．２）を有する光電感知器（１１）であり、当該光電感知器の光路（１２）は、装着者の頭部（１４）用のヘルメットシェル（２）の空間（１３）へと伸びている。
【請求項４】
請求項１ないし３のヘルメットにおいて、
前記センサは、装着者の頭部（１４）用のヘルメットシェル（２）の空間（１３）に係入する接触子（１５）を備える。
【請求項５】
請求項１ないし４に記載のヘルメットにおいて、
前記センサは、前記空間（１３）内の頭部（１４）によって発される熱放射を検出するように、ヘルメットシェル（２）の空間（１３）に割り当てられる熱センサ（１８）である。
【請求項６】
請求項１ないし５に記載のヘルメットにおいて、
前記光源（５．１、５．２）および／またはセンサ（９．１、９．２；１１；１５；１８）および／または制御装置は、照明装置（３）の少なくとも一つのハウジング（４．１、４．２）内またはハウジング上に配置される。
【請求項７】
ヘルメットシェル（２）の外側に配置される少なくとも一つの電気光源（５．１、５．２）を有する照明装置（３）と、
前記ヘルメットシェル（２）の外側に配置される輝度センサと、
前記電気光源（５．１、５．２）、輝度センサおよび電源に電気的に接続される電気制御装置を備えたヘルメットであって、
前記電気制御装置は、輝度センサによって送信される信号の度合いに応じて電気光源を制御するように構成されている。
【請求項８】
請求項１ないし６の一つと請求項７に記載のヘルメット。
【請求項９】
請求項７または８に記載のヘルメットにおいて、
前記電気制御装置は、輝度センサによる信号出力が規定した期間に所定の閾値以下に弱まる場合、光源（５．１、５．２）のスイッチを入れ、および／または、輝度センサによる信号出力が他の規定した期間に他の閾値を超える場合、光源のスイッチを切るように構成されている。
【請求項１０】
請求項９に記載のヘルメットにおいて、
前記規定した期間および／または他の規定した期間は、少なくとも５秒、多くても１５秒である。
【請求項１１】
少なくとも一つの電気光源（１９）を有する照明装置を備えたヘルメットであって、
長手方向に対して斜めに伸びるストリップ状の構造（２２）、および／または、下向光軸伝導材を有するヘルメットシェル（２）の外側に配置される光導体（２０）と、
前記光導体（２０）の少なくとも一つの端上のＬＥＤ（２１）と、
電源を備える。
【請求項１２】
請求項１から１０の一つと請求項１１に記載のヘルメット。
【請求項１３】
請求項１１または１２に記載のヘルメットにおいて、
前記ストリップ状の構造（２２）は、光源（２０）の内側および／または外側に配置される溝および／または突起である。
【請求項１４】
請求項１３に記載のヘルメットにおいて、
前記光導体（２０）は、一端にスリーブ（２３）を有し、そこにＬＥＤ（２１）が保持されている。
【請求項１５】
請求項１１ないし１４の一つに記載のヘルメットにおいて、
１個の光導体（２０）と１個のＬＥＤ（２１）をそれぞれに有する数個の電気光源（１９）を備える。
【請求項１６】
請求項１５に記載のヘルメットにおいて、
平行に配置された前記光導体（２０）を有する少なくとも２つの電気光源（１９）を備える。
【請求項１７】
請求項１６に記載のヘルメットにおいて、
隣接する平行な光源（１９）は、対向端部にＬＥＤ（２１）を有する。
【請求項１８】
請求項１６または１７に記載のヘルメットにおいて、
平行な光源（１９）は、コモンキャリア（２７）に配置され、ヘルメットシェル（１．６）上の他のレシーバの外側に挿入される。
【請求項１９】
請求項１ないし１８の一つに記載のヘルメットにおいて、
少なくとも一つの電気光源（１９）は、後頭部領域上におよび／または頭蓋冠の正面域上および／またはこめかみ上に配置される。
【請求項２０】
少なくとも一つの電気光源を有する照明装置を備えたヘルメットであって、
数個の可撓性を有する光導体と、
少なくとの一つのＬＥＤと、
電源を備え、
前記光導体は、少なくとも一つのＬＥＤを一端上と、ヘルメットシェルの異なる光出口開口の他端に配置されている。
【請求項２１】
請求項１ないし１９の一つと請求項２０に記載のヘルメット。
【請求項２２】
請求項２０または２１に記載のヘルメットにおいて、
光導体は、ヘルメットシェルの内部でその両端の間に配置される。
【請求項２３】
請求項２０ないし２２の一つに記載のヘルメットにおいて、
少なくとも一つのＬＥＤは、ヘルメットシェルの内部に配置される。
【請求項２４】
請求項２０ないし２３に記載のヘルメットにおいて、
前記光導体は、ヘルメットシェル上の光出口開口外側に幅広に配置される。
【請求項２５】
請求項２４に記載のヘルメットにおいて、
前記幅広の部分は、高くなった頭部状である。
【請求項２６】
請求項１ないし２５の一つに記載のヘルメットにおいて、
前記電源は、少なくとも一つのバッテリおよび／または蓄電池が具備されている。
【請求項２７】
少なくとも一つの電気光源を有する照明装置（３）がヘルメットシェル（２）の外側に配置され、当該ヘルメットシェルの外側に配置される少なくとも一つの蓄電池および少なくとも一つの太陽光発電源を備えたヘルメットであって、
前記太陽光発電源は、蓄電池と電気的に接続されている。
【請求項２８】
請求項１ないし請求項２６の一つと請求項２７に記載のヘルメット。
【請求項２９】
平行な換気孔（３０）を有するヘルメットシェル（２）、および、当該ヘルメットシェルの換気孔（３０）とほぼ合致する他の換気孔（３１）を有する２つのベゼル（２９）を備えたヘルメットであって、
当該各ベゼルは、当該換気孔（３０）に対して長手方向および対角方向にヘルメットシェル（２）内で移動可能に案内されるガイドスロット（３２）を有し、
２つのベゼル（２９）のガイドスロット（３２）は、換気孔（３０）に対向して傾斜させられるとともに、各ベゼル（２９）は他のガイドスロット（３３）を有し、
当該ガイドスロット（３３）は、換気孔（３０）に平行して伸び、かつ、全てのガイドスロットに係入するガイドピン（３５）は、ヘルメットシェル（２）の他のガイドスロット（３４）内で移動可能であり、当該換気孔（３０）に平行して伸びている。
【請求項３０】
請求項１ないし２８の一つと請求項２９に記載のヘルメット。
【発明の詳細な説明】
【技術分野】
【０００１】
本発明は、特に自転車に乗る人および／またはスキーヤのために構成されたヘルメットに関する。しかしながら、ヘルメットは、スケータ、スケートボーダ、スノーボーダまたは他のスポーツマンのためにも構成することもできる。
【背景技術】
【０００２】
照明装置を有するヘルメットは、夜または視界の悪い場合に自転車に乗る人を精度よく見つけるのに役立ち、可能な限り道を必要以上に照らさない。
【０００３】
夜間の検出感度を改善するために、ＬＥＤ装置を開示するＵＳ５，５４４，０２７は、そのＬＥＤ装置を従来または新しい自転車ヘルメットに取り付けることができる。ＬＥＤは、ヘルメット内に配置されたバッテリのような電源、または、自転車に配置されたダイナモのような外部電源を電線路を介して接続されている。一実施形態において、ストリップ上で直列配置された複数個のＬＥＤは、接着ストリップによって従来のヘルメットに固定可能にされている。バッテリは、ストリップの端部で拡大された矩形の切り口に収納されている。この配置は、ヘルメットのクラウン領域上の外側であり、ヘルメットの後頭部領域のバッテリボックスは、非常に取り扱いにくくなっている。複数個のＬＥＤにも関わらず、装着者の頭頂部上に配置されるストリップの視界は、とりわけ良好でない。
【０００４】
ＣＡ２、２２７、０４２Ａ１は、一連の発光体のオン／オフ切り替用装置を備えた自転車ヘルメットを開示し、当該発光体は、透明で可撓性があるとともに、透過性および耐水性のある材料内に間隔をおいて電球を備えている。ストリップは、ヘルメットの外周に取り付けられる。点滅スイッチのように、ボックス状バッテリは、後頭部上のヘルメットの外側に配置される。
【特許文献１】米国特許第５，５４４，０２７号
【特許文献２】カナダ国特許第２、２２７、０４２Ａ１号
【発明の開示】
【発明が解決しようとする課題】
【０００５】
このヘルメットは、装着者の後頭部およびヘルメット後側領域の安全のために重要な照明を備えている。しかしながら、当該装置はかさばるので、特にスポーツ中に使用するのに小さくて軽いことが必要とされる場合、ヘルメットの収容設備が問題となる。
【０００６】
周知の照明装置は、オン／オフに切替えられなければならないので、低い視認条件下で必ずしもスイッチを入れられないし、または、十分な視認条件下でスイッチを入れた状態を維持して不必要に電力を使用するといった不都合がある。
【０００７】
さらにまた、周知のヘルメットは、寒い天候の間に頻繁に汗をかく装着者の頭上のヘルメットシェルに通風孔を介して冷風を入り込むので、装着者が風邪をひく恐れがあるといった不都合がある。その結果、ヘルメットの代わりに、温かい帽子が頻繁に装着される。
【０００８】
このことから、本発明の目的は、装着者をより精度よく保護するヘルメットを作成することである。
【課題を解決するための手段】
【０００９】
この目的は、請求項１の特徴を有するヘルメットによって解決される。
【００１０】
本発明のヘルメットは、ヘルメットシェルの外側に配置される少なくとも一つの電気光源を有する照明装置と、
頭部上のヘルメットの装着を検出するセンサと、
電気光源およびセンサと結線される電気制御装置および電源を備え、
前記電気制御装置は、頭部にヘルメットが装着されたことをセンサが検出したときに、電源のスイッチを入れるか、または、電気光源のスイッチを入れるのを許可するよう構成されている。
【００１１】
本発明のヘルメットは、装着者の頭部にヘルメットが装着された場合にのみ電気光源のスイッチを入れる。これは、センサによって検出される。センサは、対応する信号を送信する。前記制御装置は、頭上のヘルメットの装着をセンサが検出した場合の信号に同調し、この場合に限り当該制御装置は電気光源のスイッチをオンにする。したがって、装着者の頭上にヘルメットがある場合に限り照明装置のスイッチを確実にオンにする。ヘルメットが着脱されるとき、照明装置はスイッチをオフにされる。これによって、不必要な電力消費が回避されるので、照明装置は、視認条件が要求される場合、より頻繁に使用することができる。したがって、当該ヘルメットは、従来のヘルメットよりも安全である。本発明は、装着者の頭上にヘルメットがある場合、照明装置のスイッチが常にオンになる実施態様を含む。しかしながら、頭部にヘルメットが装着される場合、電気制御装置が、電気光源のスイッチをオンにすることを可能にするだけでの実施態様を含む。その次に、追加スイッチが、光源のスイッチをオンにすることを必要とする。特に、これは、手動またはディマスイッチによって作動可能なスイッチである。この実施態様において、ヘルメットが着脱がれる場合、光源のスイッチがオンにされ、これに関連づけられた電力消費が回避される。
【００１２】
センサは、異なる方法で構成することができる。一実施態様において、センサは、顎紐のファスナの２つの接続可能な閉止素子に電気接点を有し、接点によって接続される電線路は、顎紐に沿って伸び、電気制御装置と接続されている。ファスナの閉止素子が継合される時だけ光源のスイッチをオンにするか、または、別々にスイッチをオンにすることができる。頭部にヘルメットが着座するときに閉止素子が適宜に継合されるので、このセンサは、装着者の頭部にヘルメットが装着されたことを検出する。したがって、この実施態様は、光源がスイッチをオンにされるか、または、装着者の頭上にヘルメットが装着され、光源のスイッチがオフのままである場合に、オンにすることを可能にする。
【００１３】
一実施態様において、センサは、光源および受光器を備え光電子センサであり、当該光電子センサの光路は、装着者の頭部用ヘルメットシェル内の空間へと伸びている。ヘルメットが頭上にあるとき、光電子センサの光路は遮断される。ヘルメットが頭上にないとき、センサは光源によって照射される。その結果、センサは、ヘルメットが頭上にあるか否かを決定する。
【００１４】
一実施態様において、前記センサは、装着者がヘルメットを装着したとき、装着者の頭部によって作動する。前記接触子は、例えば、機械的スイッチ（電気的なスイッチ接点によって）または電子スイッチ（例えばホールスイッチまたは光電子センサ）と連結される。当該センサのスイッチは、電気制御装置と順番に電気的に接続されている。
【００１５】
一実施態様において、前記センサは、熱センサであり、当該熱センサはヘルメットシェルの空間に割り当てられるので、ヘルメットの空間内の頭部による放射熱を当該熱センサが検出する。頭部がその中にあるとき、電気制御装置が、ヘルメットシェル内部で頭部を検出するセンサによって送信される信号を評価することによって決定することができるよう、センサは対応する信号を発する。
【００１６】
ヘルメットは、上述したセンサの一つ、または、上述のセンサを組み合わせることもできる。
【００１７】
他の実施態様によれば、光源および／またはセンサおよび／または制御装置は、前記照明装置の少なくとも一つのハウジングに配置される。
【００１８】
さらにまた、本発明の目的は、請求項７の特徴を有するヘルメットによって解決される。
【００１９】
本発明のヘルメットは、ヘルメットシェルの外側に配置される少なくとも一つの電気光源を有する照明装置と、
ヘルメットシェルの外側に配置される輝度センサと、
電気光源および輝度センサと電気的に接続される電気制御装置および電源とを備え、
前記電気制御装置は、輝度センサによって送信される測定信号に基づいて電気光源を制御するように構成されている。
【００２０】
本発明のヘルメットの場合、電気制御装置は、輝度センサによって検出される視認条件に応じて電気光源を制御する。本発明は、制御装置が、電気光源が低い視認条件でスイッチをオンにし、良好な視認条件でスイッチをオフにするよう構成された制御装置の実施態様を含む。電気光源が、より低い視認条件でより明るくなるように前記制御装置を構成する実施態様も含む。しかしながら、電気光源は、ただでさえ周囲からかなり目立つので、完全な暗闇において、より弱く輝くように構成することもできる。電気輝度センサによって送信される信号と電気光源に供給される電力の間の関数は、有用性を考慮して選ぶことができる。さらにまた、本発明は、実施態様において、電気光源が弱い視認条件でスイッチをオンにされ、良好な視認条件でスイッチをオフにし、かつ、視認条件に応じてスイッチをオンにされた電気光源の輝度を制御するようにも制御装置を構成する。さらに、実施態様は、可能であるならば、輝度センサによって送信される信号に基づいて電気光源のスイッチのみをオン、または、個々にオフにするよう電気制御装置を構成する。電気光源のスイッチをオンにするために、その時に追加スイッチは接続されなければならなし、それが開くときに、電気光源はスイッチをオフにされる。
【００２１】
すべての実施態様において、電気光源の制御が電力消費を減少させ、これによって照明の有効性を増加させるので、装着者はヘルメットによってよりよく保護される。この実施態様の場合において、ヘルメットは、低い視認条件下でスイッチが自動でオンにされ、低い視認条件下で照明が確保される。
【００２２】
一実施態様において、装着者の頭上にヘルメットがある場合、その時に光源のスイッチがオンにされ、または、スイッチをオンにすることができるように、請求項１の特徴および適用可能な場合に請求項１の実施態様の少なくとも１つを有するヘルメット。
【００２３】
他の実施態様において、電気制御装置は、輝度センサによって出力される信号が、規定時間のある閾値より下回る場合、光源のスイッチをオンにし、および／または、輝度センサによって出力される信号が他の規定時間に他の閾値を超えた場合、光源のスイッチをオフにするよう構成される。周囲輝度の短期的な変動に対する照明装置の望ましくない反応は、これによって回避される。
【００２４】
一実施態様において、規定期間および／または他の規定期間は、少なくとも５秒および／または多くても３０秒である。
【００２５】
さらにまた、本発明の目的は、請求項１１のヘルメットによって解決される。
【００２６】
少なくとも１つの電気光源を有する照明装置を備えた本発明のヘルメットは、長手方向に対して斜めに伸びるストリップ状の構造、および／または、下向光軸伝導材を有するヘルメットシェルの外側に配置される光導体と、前記光導体の少なくとも一つの端上のＬＥＤと、電源を備える。
【００２７】
当該照明装置の場合、ＬＥＤは、光導体の一端内で光を発する。光導体は、その長手方向に対して斜めに伸びるストリップ状の構造、および／または、下向光軸伝導材によって光を発する。これは、ストリップ状の構造、および／または、光導体の材料に埋め込まれる小さな光拡散粒子、および、光導体の長手方向に対して斜め方向への調光によって光が偏光されることに基づく。光は、光導体の側に発せられる。特に、ストリップ状の構造の反対側に存在している光導体の縦側面に光を発することができる。したがって、全面にストリップ状の光源が構成されるように、照明装置は縦側面に沿って光を発する。より多くのＬＥＤを備え、時間通りに光りを発する従来の照明装置より良好な光照射は、それによって達成される。ヘルメットは、容易に視認可能な面に照明装置を有することもできる。さらにまた、二次元に光を放つ一つの照明装置を当該照明装置に組み合わせることもできる。
【００２８】
照明装置は、より目立つので、ヘルメットは装着者をより確実に保護する。
【００２９】
一実施態様において、請求項１および／または請求項７のヘルメットの少なくとも一つの実施態様から適用できる場合、ヘルメットは、請求項１および／または請求項７のヘルメットの特徴を有する。
【００３０】
一実施態様において、二次元に拡散する光導体は、ヘルメットシェルの外側に装着される。さらに、それは、ヘルメットシェルの外側に配置されることが好ましい。他の実施態様において、電気接点を有する光源または個別のＬＥＤは、ヘルメットシェルに取り外せないように形成される。他の実施態様において、電気接点を有するＬＥＤは、ヘルメットシェルの発泡体に埋込まれる。他の実施態様において、光源の電源は、電子ユニットによって実現される。他の実施態様において、ばね接点を介して既設された光源の電源は、ヘルメットシェルに組み込まれたケーブルに接続される。ケーブルは、ヘルメットシェルの発泡体に埋込まれるのことが好ましい。ばね接点は、ヘルメットシェルの少なくとも部分的に埋込むか、または、発泡体内に埋め込むこともできる。
【００３１】
光源または個別のＬＥＤを制御して、更に電源を含む電子ユニットは、ヘルメットシェル内に埋込まれることが好ましい。さらに、それは、着脱可能および面一となるようにヘルメットシェルに埋込まれることが好ましい。さらに、電気ユニットは、内部から、または、ヘルメットシェルの外側から取り出せることが好ましい。
【００３２】
ストリップ状の構造は、異なった設計にできる。一実施態様において、ストリップ状の構造は、光導体の内側および／または外側に配置される溝および／または突起である。
【００３３】
ＬＥＤは、光導体の端に対して、異なる方法で位置決めすることができる。一実施態様において、光導体は一端上にスリーブを有し、そこにＬＥＤは挿入される。
【００３４】
他の実施態様において、ヘルメットは、光導体とＬＥＤをそれぞれに有する数個の電気光源を備える。電気光源は、ヘルメットの異なる側面に配置することができる。例えば、ヘルメットの前側と後側および／または左側または右側に配置する。他の実施態様において、ヘルメットは、光導体を平行に配置した電気光源を備えている。平行配置された光導体は、ほぼ二次元方向に光を放つことができる。他の実施態様において、隣接する平行配置の光源は、対向する端部にＬＥＤを有する。より均一な発光は、いくつかの平行光源の配置によって達成される。
【００３５】
他の実施態様において、コモンキャリアに配置される平行の光源は、ヘルメットシェル外側の他のレシーバに挿入される。照明モジュールを構成するコモンキャリア上の光源の平行配置は、ヘルメット内の全体ユニットとして取り付けが可能であり、照明装置を有するヘルメットの装備または再装備を容易にする。
【００３６】
一実施態様において、少なくとも一つの電気光源は、後頭部領域を通じておよび／または頭蓋冠の前頭領域を通じておよび／または側頭領域域を通じて配置される。
【００３７】
さらにまた、本発明の目的は、請求項２０の特徴を有するヘルメットによって解決される。
【００３８】
少なくとも一つの電気光源を備えた照明装置を有する本発明のヘルメットは、少なくとも一つのＬＥＤ上の一端、および、ヘルメットシェルの異なる光出口開口の他端配置される数個の可撓性を有する光導体および少なくとも一つのＬＥＤと、電源を備える。
【００３９】
一実施態様によれば、可撓性を有する光導体の給電は、ヘルメットから着脱可能な電子ユニットが起こすことが可能な光によって実現可能である。それは、ＬＥＤを有することができる。電子ユニットは、ＬＥＤ制御用の制御装置を含むことができる。さらに、それは、電源を含むことができる。電源および／またはＬＥＤの切替のためのスイッチは、電子ユニットの一実施形態によって利用できる。これに対して、光導体は、ヘルメットシェルに取り外せない発泡体であることが好ましい。さらに、それらは、ヘルメットシェルの発泡体内に埋め込むことが好ましい。
【００４０】
電子ユニットは、ヘルメットシェル内に二次元状に嵌め込むことが好ましい。それは、発泡体で構成されたヘルメットシェル内に二次元状に嵌め込まれることが好ましい。電子ユニットは、ヘルメットシェル内に嵌め込まれて面一であることが好ましい。それは、ヘルメットシェルの内側または外側で面一であることが好ましい。それは、ヘルメットシェルの内側または外側、あるいはそれぞれから取り外し可能であることが好ましい。
【００４１】
当該照明装置の場合、複数個のＬＥＤは、数個の可撓性を有する光導体の端部に光を導いて光らせる。可撓性を有する光導体は、例えばガラス繊維、ナイロン糸などである。光導体は、ヘルメットシェルの異なる光出口開口の他端に配置される。その結果、複数個のＬＥＤの光は、ヘルメットシェルの異なる光出口開口から発せられる。ヘルメットシェルの異なる側からの光の照射が達成されるように、光出口開口は、ヘルメットシェルの異なる側を通って分配されている。光出口開口は、ヘルメットシェル全体を通じて均一または不規則、或いは、同様に一部を通じて均一または不規則に分配されることができる。ヘルメットシェルのサブエリア内に複数個の光出口開口を互いに近接して配備することも可能である。このサブエリアのいくつかは、互いに大きく距離をおいて配置することができる。
本発明は、実際に一つのＬＥＤを使用しているヘルメットシェル上の異なる箇所から、光を照射可能にする。数個のＬＥＤを使用した場合、多数の光出口開口から光を照射可能にし、その光はＬＥＤの数をしのぐ。ヘルメットは、向上した光照射を通じて装着者の安全に寄与する。
【００４２】
数個のＬＥＤは、同じ或いは異なる色にすることができる。数個の異なる色のＬＥＤを使用した場合、異なる色は光出力開口が配置されるヘルメットの異なる側に割り当てることができる。それは光導体を介して特定色のそれぞれのＬＥＤに接続される。例えば、ヘルメットの前側から白色光を照射するように、ヘルメットの前側の光出口開口に通じている光導体は、複数個の白色ＬＥＤに導くことができる。さらにまた、ヘルメットの後側から赤色光を照射するように、ヘルメットの後側の光出口開口に導かれる光導体は、複数個の赤色ＬＥＤに導くことができる。
【００４３】
本発明のヘルメットは、本発明および実施可能な少なくとも一つの付加的なヘルメットの特徴を有することができる。
【００４４】
光導体は、一般にヘルメットシェルの外側に沿って案内させることができる。好ましい実施例において、光導体は、ヘルメットシェルの中でそれらの端部に配置される。光導体は、ヘルメットシェル内に埋込まれることができ、および／または、ヘルメットシェルの内側に沿って導くことができる。ヘルメットシェルの内側で、それらは、ヘルメットシェルの内部ライニングによって覆うことができる。
【００４５】
さらに、ＬＥＤが外側に直接に光を発するように、ＬＥＤはヘルメットシェルの光出口開口に沿ってヘルメットシェルの外側に配置することができる。他の実施態様において、ＬＥＤは、ヘルメットシェル内に配置される。その場合、光は、光導体を介して外に導かれるだけである。これによって、均一な光照射は、全ての光出口開口を介して達成することができる。
【００４６】
光導体は、光出口開口端に異なる方法で取り付けることができる。例えば、それらは、光出口開口に押圧および／または接着することができる。一実施態様において、光導体は、ヘルメットシェルの光出口開口外側に配置されて広がりを有する。この広がりを通じて、光導体は、光出口開口のそれらの位置に固定される。光出口開口からの光照射で、光導体は、ヘルメットシェル内に適切に埋設またはそれぞれを固定することにより安全にすることができる。例えば、ヘルメットシェルに接着、および／または、その溝に挟み込む。さらに、この広がりは、光照射面を拡大および／またはより大きな照射角度で外へ光を照射するのに役立てることができる。このために、広幅化は、他の実施態様によって頭を起こしたようになる。
【００４７】
ＬＥＤの広幅化は、例えば、可撓物の光導体の端部、または、加熱用具によって他の熱可鍛性の材料を押し広げることによって生じさせることができる。
【００４８】
すべての例示的実施形態で、電源が、電気光源と接続されるか、または、接続可能であることが分かる。電気的スイッチおよび／または電気制御装置は、電気光源を有する電源を接続するのに役立つ。
【００４９】
他の実施態様において、電源は、少なくとも一つのバッテリおよび／または蓄電池を含む。この実施態様は、すべての発明および適用可能な実施態様に利用することができる。
【００５０】
さらに、本発明の目的は、請求項２７の特徴を有するヘルメットによって解決される。
【００５１】
照明装置を備えた本発明のヘルメットは、ヘルメットシェルの外側に配置される少なくとも一つの電気光源と、ヘルメットシェルの外側に配置される蓄電池と結線される少なくとも一つの蓄電池および少なくとも一つの太陽光発電源を備えている。
【００５２】
本発明のヘルメットの場合、蓄電池は、ヘルメットが照射されるときに太陽光発電源によって再充電される。これは、晴天時にヘルメットを使用する一般的な場合である。ヘルメットは、蓄電池を再充電するために、日当りがよい位置、例えば窓台上に設置することができる。低い視認条件の間にヘルメットを使用する場合、蓄電池は電気光源に給電する。ヘルメットの電源が再び再充電されるという点で、電気光源の操作上の即用性が増加する。これによって、ヘルメット装着者の安全性が増す。
【００５３】
本発明のヘルメットは、他の複数の発明および可能な実施態様の特徴を好適に有することができる。
【００５４】
さらに、本発明の目的は、請求項２９の特徴を有するヘルメットによって解決される。
【００５５】
本発明のヘルメットは、平行な換気孔を有するヘルメットシェル、および、当該ヘルメットシェルの換気孔とほぼ合致する他の換気孔を有する２つのベゼルを備えたヘルメットであって、当該各ベゼルは、当該換気孔に対して長手方向および対角方向にヘルメットシェル内で移動可能に案内されるガイドスロットを有し、２つのベゼルのガイドスロットは、換気孔に対向して傾斜させられるとともに、各ベゼルは他のガイドスロット（３３）を有し、当該ガイドスロットは、換気孔に平行して伸び、かつ、全てのガイドスロットに係入するガイドピンは、ヘルメットシェルの他のガイドスロット内で移動可能であり、当該換気孔に平行して伸びている。
【００５６】
本発明のヘルメットにおいて、ベゼルの他の通風孔が、ヘルメットシェルの通風孔に多少重なるよう、２つのベゼルは他のガイドスロットのガイドピンの変位によって置き換えられる。したがって、ヘルメットの通風孔の横断面は、通風孔を介して空気の量が調整可能である。低い外気温度の場合、通風孔は、完全に、または、ほぼ完全に閉じることができ、高い外気温度の場合、完全に、または、ほぼ完全に開くことができる。中温の場合、通風孔および他の通風孔は、ほぼ半分まで重ねることができる。その結果、ヘルメットは、それぞれの環境条件に対して調整を可能である。したがって、ヘルメットの装着は、通風孔の変更できない従来のヘルメットより快適である。その結果、ユーザはヘルメットを頻繁に使用し、ヘルメットは装着者の安全性を増大させる。
【００５７】
本発明のヘルメットは、発明に基づく少なくとも一つの付加的な特徴および適用可能な実施態様の特徴を有する。
【００５８】
本発明は、実施形態の添付の図面を使用し、更に詳細に後述される。
【発明を実施するための最良の形態】
【００５９】
以下の異なる実施形態の説明において、対応する部分は、同じ参照番号を付している。  語句「上部」、「底部」、「正面」および「後部」は「水平方向」および「垂直」は、水平方向の前方を見つめる起立姿勢の人が、装着した当該ヘルメットに適用される。
【００６０】
図１の記載において、ヘルメット１１は、ヘルメットシェル２を有する。額より上に配置されヘルメットシェル２の前端上に前灯３．１を備える照明装置３は、ヘルメットシェル２に挿入さている。
【００６１】
さらに、照明装置３は後灯３．２備え、それは装着者の後頭部より上のヘルメットシェル２の裏に配置される。前灯３．１および後灯３．２の各々は、円筒状または先端を切った円錐状のハウジング４．１、４．２を有し、それは外側の正面に光源５．１、５．２を含む。ハウジング４．１、４．２は、ヘルメットシェル２に挿入され、光源５．１、５．２を有する外側の正面は、ヘルメットシェル２の外側と面一になるよう配置される。
【００６２】
ハウジング４．１は、さらに光源５．２、電気制御装置および少なくともコイン電池またはバッテリの形の電源を含んでいる。
【００６３】
前灯３．１および後灯３．２は、二心電気的接続線６によって相互接続される。
【００６４】
ハウジング４．２は内側正面に鳩目を有し、それによって顎紐７が後方ループ７．１を通過させられる。
【００６５】
顎紐７の前方ループ７．２は、ヘルメットシェル２の正面の頭蓋冠上に固定される。
【００６６】
後方ループ７．１は、接続および分離可能な閉止素子８．１、８．２を有するファスナ８の底部にある。閉止素子８．１、８．２の各々は、電気接触子９．１、９．２を有し、それはファスナが連結されるとき、互いに接触する。電気接触子９．１、９．２は電線路１０．１、１０．２によって接続され、それは顎紐７の後方ループ７．１に組み込まれる。電線路１０．１、１０．２は、後灯３．２の電気制御装置と接続される。
【００６７】
ファスナ８が閉じられ、接触子９．１、９．２が互いに接続した場合に限り、電気制御装置は、光源５．１、５．２のスイッチを入れることを可能にしている。光源５．１、５．２は、図示しない付加的な電気的スイッチによってオン／オフに切替えされる。この付加的なスイッチは、例えばディマスイッチまたは機械的スイッチである。しかしながら、ファスナが閉じたとき、照明装置が常にスイッチをオンにされることも一般的に可能である。
【００６８】
したがって、ヘルメット１．１は、ヘルメットが装着されていない場合、不必要に照明のスイッチを入れることを回避する。
【００６９】
図２のヘルメット１．２は、装着検出を目的とする点で異なる。装着検出のため、ヘルメット１．２は、光電感知器１１を有し、それはハウジング４．１の内側正面上に光送信器１１．１およびハウジング４．２の内側正面に受光器１１．２を有し、その逆の配置も可能である。光送信器１１．１は、後灯３．２の電気制御装置と接続された接続線６にも接続されている。受光器１１．２は、電気制御装置にも接続される。
【００７０】
光感知器１１の光路１２は、装着者の頭部１４用のヘルメットシェル２の空間１３まで伸びている。
【００７１】
ヘルメット１．２が頭部１４にある場合、光路１２は遮断される。そのとき、電気制御装置は、ヘルメット１．２の装着状態を検出し、光源源５．１、５．２を作動させる。光路が遮断された場合、光源５．１、５．２のスイッチを常にオンにすることができる。しかしながら、電気光源５．１、５．２のスイッチを入れることは、例えばディマスイッチまたは機械的スイッチの付加的な作動に応じても可能である。この装着検出も、ヘルメット１．２が装着されていない場合にスイッチがオンにされるのを回避する。
【００７２】
図３に記載のヘルメット１．３は、後灯３．２のハウジング４．２の内側正面に、装着者の後頭部１４用の空間１３に無負荷の状態で伸びる接触子が配備されている点で、ヘルメット１．１と異なる。接触子１５は、空間１３から間隔をおいた対向面側にピン１６を有し、それは後部ハウジング４．２の電気的スイッチ１７に向けて配置されている。
【００７３】
ヘルメット１．３が頭部１４にある場合、頭部１４の接触子１５は、ハウジング４．２に向けて近づくよう枢動し、ピン１６がスイッチ１７を作動させる。その結果、制御装置は、ヘルメット１．３が装着されたことを検出するスイッチ１７によって電気的に接続され、光源５．１、５．２を作動させる。光源５．１、５．２は、すでに記載されている方法でスイッチを入れられる。
【００７４】
図４に記載のヘルメット１．４は、後部ハウジング４．２の内側正面に熱線センサが配備されるという点で、ヘルメット１．１と異なる。熱センサ１８は、電気制御装置に電気的に接続されている。
【００７５】
ヘルメット１．４が頭部１４にある場合、装着者の体温が熱センサ１８に作用する。したがって、熱センサ１８によって送信される信号は、特徴的なパターンで変化する。制御装置はこれを検出し、光源５．１、５．２を作動させる。その結果、光源５．１、５．２は、すでに記載されている方法でスイッチを入れられる。
【００７６】
上記の実施形態において、個々または数個のＬＥＤは、ハウジング４．１、４．２の外側正面の光源５．１、５．２として配置される。
【００７７】
図５および６は、本発明の他のヘルメットの電気光源１９を示し、それは光導体２０およびＬＥＤ２１を含む。光導体２０は、ほぼ半円横断面を有する。光導体２０の平坦側に、複数本の並列溝２２で形成されたストリップ状の構造が、その長手方向対して対角に配列されている。スリーブ２３を有する光導体２０の一端にＬＥＤ２１が、透過的な埋設によって圧入されている。ＬＥＤ２１の２つの電気接触子２４．１、２４．２は、スリーブ２３から突出している。ＬＥＤのねじ山のように突出しているベース２５は、スリーブ２３の正面に位置する。
【００７８】
ＬＥＤ２１から発される光は、光導体１９の長手方向のスリーブ２３の端部から向けられる。ストリップ状の構造２２に衝突する光の部分は、斜材で反射して幅方向に広がり、光導体２０の側から出力される。この光導体は、ストリップ状の構造２２を有する側の反対側に位置する。その結果、ＬＥＤ２１によって発される光の均一な照射は、光導体２０の全長を通じて達成される。
【００７９】
図７および８の記載において、数個の光源１９は、ヘルメット１．５に配置される。光源１９は、ヘルメットシェル２に各々組み込まれ、その光照射外側は、ヘルメットシェル２の外側と面一である。光源１９は、頭蓋冠領域より上、こめかみ領域より上および後頭部上で斜め、同様に後頭部上で垂直に配置される。全光源１９は、電気的接続ケーブル６を介して中央ハウジング４．３のコイン電池またはバッテリの形の電源に接続される。さらにまた、電気照明装置は、光源１９オン／オフに切替えるための装置（図示しない）を含む。加えて、装着検出は、図１〜４の実施形態に基づいて存在させることができる。
【００８０】
図９および１０の記載において、ヘルメット１．６はモジュール２６を有し、それはハウジング２７を含み、２個の光導体１９が大概平行に配置されている。光導体１９は、対向する端部にＬＥＤ２１を有する。モジュール２６は、ヘルメットシェル２内に単純に相対的に挿入またはそれぞれを嵌め込むことが可能であり、ハウジング２７およびヘルメットシェル２は、適切な嵌め込み手段を備えることができる。さらにまた、モジュール２６は、発光面の大部分を光導体１９の発光面で構成されているので、略二次元の光照射となる。発光面は、光を拡散させるハウジング２７のカバー２８によって構成することができる（図１１を参照）。
【００８１】
図１２および１３は、一転鎖線で示されるヘルメット１．７上の換気装置２９を示す。ヘルメット１．７は一群の平行な通風孔３０を有し、それは、頂部側で正面から後部まで伸びている。細長い中間の通風孔３０．１は、頭頂上に配置される。横方向の通風孔３０．２および３０．３は、中間の通風孔３０．１の両側に配置される。上述した通風孔３０．１から３０．３までは、後頭部上でのヘルメット１．７の中央からおおよそ延びる。
【００８２】
換気孔３０．２、３０．３の前に付加的な換気孔３０．４、３０．５が存在し、それはヘルメットシェルの正面の領域を通じてさらに伸びる。換気装置２９は、付加的な換気孔３１．１、３１．２を有するベゼル２９．１、２９．２をそれぞれ備え、それらは前から後ろに伸びている。さらにまた、各ベゼル２９．１、２９．２は、ガイドスロット３２．１、３２．２を有し、それらは換気孔３０．１から３０．５まで、および、他の換気孔３１．１から３２．１に対角に傾けられている。正面において、ガイドスロット３２．１、３２．２は、ベゼル２９．１、２９．２の他のガイドスロット３３．１、３３．２によって各々接続されており、それらは、換気孔３０．１から３０．５まで、または、３１．１から３１．２までそれぞれ平行に伸びている。
【００８３】
他のガイドスロット３３．１、３３．２に重なる他のガイドスロット３４は、ヘルメットシェル２に存在する。
【００８４】
ガイドピン３５は、３４と同様にガイドスロット３２．１、３２．２および他のガイドスロット３３．１、３３．２に挿入される。それは、ヘルメットシェル２の外側のボタン３６に備えられている。
【００８５】
さらに、ベゼル２９．１、２９．２は、他のガイドスロット３３．１、３３．２および３４に対角方向のヘルメットシェル２へ導かれる。
【００８６】
ベゼル２９．１、２９．２は、ヘルメットシェル２とヘルメットシェル２の内部ライニングの間に配置されるのが好ましく、それは孔３０．１から３０．５までに適合する孔を有する。
【００８７】
ボタン３６が図１２の位置に配置されるとき、ガイドピン３５は、付加的なガイドスロット３３．１、３３．２および３６、並びに、ガイドスロット３２．１、３２．２のそれぞれの前端に配置される。その結果、ベゼル２９．１、２９．２は、最大限に引き離され、換気孔３０．１から３０．５までに重なる。ヘルメット１．７の内部空間の換気は、これによって抑制される。この位置は、冷たい空気が装着者の頭部に向かってはならない寒い冬の日に、特に意味をなす。
【００８８】
図１３の記載において、ガイドピン３５が、他のガイドスロット３３．１、３３．２および３４並びにガイドスロット３２．１、３２．２の後端に配置されるので、ボタン３６は後方に押される。その結果、ベゼル２９．１、２９．２は一緒に押され、大概重なる。開口３０．１から３０．５までは、これによって分離される。それによって、他の換気口３１．１、３１．２は、換気口３０．１に重なり、ベゼル２９．１、２９．２は、換気口３０．２から３０．５まで引き離される。換気口３０．１から３０．５までが最大に開かれる当該位置は、特に熱い夏日に有利である。
【００８９】
ベゼル２９．１、２９．２は、換気口３０．１から３０．５までを介してヘルメットシェル２内への空気の流れを調整するために、図１２および１３に示される位置の間で、任意の中間位置に持ってくることができる。
【００９０】
図１４の記載において、ヘルメット１．８は、ヘルメットシェル２を有し、当該ヘルメットシェル２に小さいハウジング３７は埋込まれ、ハウジング３７にＬＥＤ３８の形で電気光源を含む。一端にＬＥＤ３８を割り当てられる複数個の柔軟な光導体３９．１、３９．２などのそれぞれは、ハウジング３７に挿入される。光導体３９．１、３９．２などは、ヘルメットシェル２に埋込まれ、ヘルメットシェル２の光放出口４０．１、４０．２などを介してそれらの端部に達する。ヘルメットシェル２の外側で高くなった頭部状の広がり４１．１、４１．２などを有し、それは、図１４に示されるよりかなり目立つ。光導体３９．１、３９．２などの場合、広がり４１．１、４１．２などは、加熱ツールの処理により熱鍛造可能なプラスチックで製造される。ヘルメットシェル２は外側に、例えば光放出口４０．１から４０．２などのかけてポリカーボネートまたはポリ塩化ビニルでできたコーティングを有することができる。
【００９１】
光放出口４０．１、４０．２は、数個のグループで結合され、１つのグループは装着者１４の額上方の前側に、他のグループは後頭部上のヘルメットシェル２の後側に、２つの他のグループはこめかみ上の両側に配置される。
【００９２】
ハウジング３７も、ＬＥＤ  ３８を制御するための電子ユニット４１を含む。ハウジング３７は、電源を含むこともできる。電源は、ヘルメットシェル２に面一に挿入され、ヘルメットシェル２の外側から、着脱可能になっている。電子ユニット４１は、ケーブル４２を介して他のＬＥＤ３８．１を介しても接続されており、それは光導体１９と連結されており、ヘルメットシェル２の外側に配置される。ケーブル４２およびＬＥＤ  ３８．１は、ヘルメットシェル２に埋込まれる。さらに、ＬＥＤ  ３８．１および光導体１９を有する一本以上のケーブル４２は、可撓性を有する光導体３９．１、３９．２など、または、それに代わるものに存在させることもできる。
【００９３】
ＬＥＤ３８、３８．１は、電気制御ユニット（図示せず）を介して電源（図示せず）に接続される。
【００９４】
ＬＥＤ３８がスイッチを入れられる場合、光導体３９．１、３９．２などは、異なる光放出口４０．１、４０．２などを介して外に向けて光を発する。高くなった頭部状の広がり４１．１、４１．２などのために、光導体３９．１、３９．２などは、１つの単一光源３８から出力されるにも関わらず、光は大きい出口角で発されるので、容易に視認可能である。
【００９５】
ＬＥＤ３８．１は、光導体１９を介して光りを放つ。
【図面の簡単な説明】
【００９６】
【図１】照明装置を有するヘルメットおよび電気的接触による装着認識を示す縦断面図である。
【図２】照明装置を有するヘルメットおよび光電センサによる装着認識を示す縦断面図である。
【図３】照明装置を有するヘルメットおよび接触子による装着認識を示す縦断面図である。
【図４】照明装置を有するヘルメットおよび熱センサによる装着認識を示すの縦断面図である。
【図５】ヘルメットの光導体を有する光源および照明装置のＬＥＤの上部側方からの部分的な斜視図である。
【図６】減少させられた同一光源の部分的な平面図である。
【図７】図５および６に記載の数個の光源を備えた照明装置を有するヘルメットの縦断面図である。
【図８】同じヘルメットの斜め後方側面からの斜視図である。
【図９】１つのモジュールにまとめられる平行配備した数個の光源を有する照明装置を備えたヘルメットの縦断面図である。
【図１０】同じヘルメットの斜め後方側面からの斜視図である。
【図１１】図９および１０に記載のヘルメットのモジュールの正面図である。
【図１２】閉位置にある調節可能な通風孔を有するヘルメットの換気装置の平面図である。
【図１３】開位置にある同じ排気装置の平面図である。
【図１４】数個の可撓性光導体を有する照明装置を備えたヘルメットの縦断面図である。
【図１】
2012516949.tif 000003
【図２】
2012516949.tif 000004
【図３】
2012516949.tif 000005
【図４】
2012516949.tif 000006
【図５】
2012516949.tif 000007
【図６】
2012516949.tif 000008
【図７】
2012516949.tif 000009
【図８】
2012516949.tif 000010
【図９】
2012516949.tif 000011
【図１０】
2012516949.tif 000012
【図１１】
2012516949.tif 000013
【図１２】
2012516949.tif 000014
【図１３】
2012516949.tif 000015
【図１４】
2012516949.tif 000016
【図１４−１】
2012516949.tif 000017
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
ヘルメットシェルの外側に配置される少なくとも１個の電気光源（５．１、５．２）を有する照明装置（３）と、
頭部上の前記ヘルメット（１）の装着を検出するセンサ（９．１、９．２；１１；１８）と、
前記電気光源（５．１、９．２；１１；１５；１８）と前記センサ（９．１、９．２；１１；１５；１８）を電気的に接続させる電気制御装置および電源を備えたヘルメットであって、
前記電気制御装置は、前記センサが頭部（５．１、５．２）上のヘルメット（１）の装着が検出されるとき、電気光源のスイッチを入れるか、または、電気光源のスイッチを入れるのを単に許可するよう構成されている。
【請求項２】
請求項１に記載のヘルメットにおいて、
前記センサは、ファスナ（８）の２つの結合可能な閉止素子（８．１、８．２）の中に電気接触子（９．１、９．２）を備え、
電線路（１０．１、１０．２）が、顎紐（７）に沿って伸びる電気接点と電気制御装置に接続されている。
【請求項３】
請求項１または２に記載のヘルメットにおいて、
前記センサは、光源（１１．１）および受光器（１１．２）を有する光電感知器（１１）であり、当該光電感知器の光路（１２）は、装着者の頭部（１４）用のヘルメットシェル（２）の空間（１３）へと伸びている。
【請求項４】
請求項１ないし３のヘルメットにおいて、
前記センサは、装着者の頭部（１４）用のヘルメットシェル（２）の空間（１３）に係入する接触子（１５）を備える。
【請求項５】
請求項１ないし４に記載のヘルメットにおいて、
前記センサは、前記空間（１３）内の頭部（１４）によって発される熱放射を検出するように、ヘルメットシェル（２）の空間（１３）に割り当てられる熱センサ（１８）である。
【請求項６】
請求項１ないし５に記載のヘルメットにおいて、
前記光源（５．１、５．２）および／またはセンサ（９．１、９．２；１１；１５；１８）および／または制御装置は、照明装置（３）の少なくとも一つのハウジング（４．１、４．２）内またはハウジング上に配置される。
【請求項７】
ヘルメットシェル（２）の外側に配置される少なくとも一つの電気光源（５．１、５．２）を有する照明装置（３）と、
前記ヘルメットシェル（２）の外側に配置される輝度センサと、
前記電気光源（５．１、５．２）、輝度センサおよび電源に電気的に接続される電気制御装置を備えたヘルメットであって、
前記電気制御装置は、輝度センサによって送信される信号の度合いに応じて電気光源を制御するように構成されている。
【請求項８】
請求項１ないし６の一つと請求項７に記載のヘルメット。
【請求項９】
請求項７または８に記載のヘルメットにおいて、
前記電気制御装置は、輝度センサによる信号出力が規定した期間に所定の閾値以下に弱まる場合、光源（５．１、５．２）のスイッチを入れ、および／または、輝度センサによる信号出力が他の規定した期間に他の閾値を超える場合、光源のスイッチを切るように構成されている。
【請求項１０】
請求項９に記載のヘルメットにおいて、
前記規定した期間および／または他の規定した期間は、少なくとも５秒、多くても１５秒である。
【請求項１１】
少なくとも一つの電気光源（１９）を有する照明装置を備えたヘルメットであって、
長手方向に対して斜めに伸びるストリップ状の構造（２２）、および／または、下向光軸伝導材を有するヘルメットシェル（２）の外側に配置される光導体（２０）と、
前記光導体（２０）の少なくとも一つの端上のＬＥＤ（２１）と、
電源を備える。
【請求項１２】
請求項１から１０の一つと請求項１１に記載のヘルメット。
【請求項１３】
請求項１１または１２に記載のヘルメットにおいて、
前記ストリップ状の構造（２２）は、光源（２０）の内側および／または外側に配置される溝および／または突起である。
【請求項１４】
請求項１３に記載のヘルメットにおいて、
前記光導体（２０）は、一端にスリーブ（２３）を有し、そこにＬＥＤ（２１）が保持されている。
【請求項１５】
請求項１１ないし１４の一つに記載のヘルメットにおいて、
１個の光導体（２０）と１個のＬＥＤ（２１）をそれぞれに有する数個の電気光源（１９）を備える。
【請求項１６】
請求項１５に記載のヘルメットにおいて、
平行に配置された前記光導体（２０）を有する少なくとも２つの電気光源（１９）を備える。
【請求項１７】
請求項１６に記載のヘルメットにおいて、
隣接する平行な光源（１９）は、対向端部にＬＥＤ（２１）を有する。
【請求項１８】
請求項１６または１７に記載のヘルメットにおいて、
平行な光源（１９）は、コモンキャリア（２７）に配置され、ヘルメットシェル（１．６）上の他のレシーバの外側に挿入される。
【請求項１９】
請求項１ないし１８の一つに記載のヘルメットにおいて、
少なくとも一つの電気光源（１９）は、後頭部領域上におよび／または頭蓋冠の正面域上および／またはこめかみ上に配置される。
【請求項２０】
少なくとも一つの電気光源を有する照明装置を備えたヘルメットであって、
数個の可撓性を有する光導体と、
少なくとの一つのＬＥＤと、
電源を備え、
前記光導体は、少なくとも一つのＬＥＤを一端上と、ヘルメットシェルの異なる光出口開口の他端に配置されている。
【請求項２１】
請求項１ないし１９の一つと請求項２０に記載のヘルメット。
【請求項２２】
請求項２０または２１に記載のヘルメットにおいて、
光導体は、ヘルメットシェルの内部でその両端の間に配置される。
【請求項２３】
請求項２０ないし２２の一つに記載のヘルメットにおいて、
少なくとも一つのＬＥＤは、ヘルメットシェルの内部に配置される。
【請求項２４】
請求項２０ないし２３に記載のヘルメットにおいて、
前記光導体は、ヘルメットシェル上の光出口開口外側に幅広に配置される。
【請求項２５】
請求項２４に記載のヘルメットにおいて、
前記幅広の部分は、高くなった頭部状である。
【請求項２６】
請求項１ないし２５の一つに記載のヘルメットにおいて、
前記電源は、少なくとも一つのバッテリおよび／または蓄電池が具備されている。
【請求項２７】
少なくとも一つの電気光源を有する照明装置（３）がヘルメットシェル（２）の外側に配置され、当該ヘルメットシェルの外側に配置される少なくとも一つの蓄電池および少なくとも一つの太陽光発電源を備えたヘルメットであって、
前記太陽光発電源は、蓄電池と電気的に接続されている。
【請求項２８】
請求項１ないし請求項２６の一つと請求項２７に記載のヘルメット。
【請求項２９】
平行な換気孔（３０）を有するヘルメットシェル（２）、および、当該ヘルメットシェルの換気孔（３０）とほぼ合致する他の換気孔（３１）を有する２つのベゼル（２９）を備えたヘルメットであって、
当該各ベゼルは、当該換気孔（３０）に対して長手方向および対角方向にヘルメットシェル（２）内で移動可能に案内されるガイドスロット（３２）を有し、
２つのベゼル（２９）のガイドスロット（３２）は、換気孔（３０）に対向して傾斜させられるとともに、各ベゼル（２９）は他のガイドスロット（３３）を有し、
当該ガイドスロット（３３）は、換気孔（３０）に平行して伸び、かつ、全てのガイドスロットに係入するガイドピン（３５）は、ヘルメットシェル（２）の他のガイドスロット（３４）内で移動可能であり、当該換気孔（３０）に平行して伸びている。
【請求項３０】
請求項１ないし２８の一つと請求項２９に記載のヘルメット。
【請求項３１】
装着者の後頭部より上のヘルメットシェル（２）の後部に配置される少なくとも１個の後灯（３．２）を有する照明装置を備え、
前記後灯（３．２）は、光源（５．２）を含むハウジング（４．２）を有し、
前記ハウジング（４．２）はヘルメットシェル（２）に挿入されるとともに、当該ハウジング（４，２）は、後方ループ（７．１）を通過させられた顎紐（７）を通す鳩目を内側正面に有するヘルメット。
【請求項３２】
請求項３１に記載のヘルメットにおいて、
顎紐（７）の前方ループ（７．２）が、前記ヘルメットシェル（２）の正面の頭蓋冠上に固定される。
【請求項３３】
請求項１ないし３０の一つと請求項３１または３２に記載のヘルメット。
【手続補正２】
【補正対象書類名】明細書
【補正対象項目名】００６１
【補正方法】変更
【補正の内容】
【００６１】
さらに、照明装置３は後灯３．２備え、それは装着者の後頭部より上のヘルメットシェル２の後に配置される。前灯３．１および後灯３．２の各々は、円筒状または先端を切った円錐状のハウジング４．１、４．２を有し、それは外側の正面に光源５．１、５．２を含む。ハウジング４．１、４．２は、ヘルメットシェル２に挿入され、光源５．１、５．２を有する外側の正面は、ヘルメットシェル２の外側と面一になるよう配置される。
【国際調査報告】
2012516949.tif 000018
2012516949.tif 000019
2012516949.tif 000020
2012516949.tif 000021
2012516949.tif 000022
2012516949.tif 000023
2012516949.tif 000024
2012516949.tif 000025
2012516949.tif 000026
2012516949.tif 000027
2012516949.tif 000028